(57)【特許請求の範囲】
【請求項１】
トイレ室内の消臭を行う消臭器と、前記トイレ室内の換気を行う換気扇と、それらの消臭器と換気扇とに制御信号を送信可能な制御装置とを備えたトイレ室の消臭システムであって、
前記制御装置は、前記トイレ室内の臭気レベルが第１設定臭気レベルよりも高いか否かを判定する第１臭気レベル判定部によって、前記臭気レベルが第１設定臭気レベルよりも高いとの判定をした場合に、その判定に基づいて、消臭器に作動開始信号を送信するとともに、前記消臭器に作動開始信号を送信した後における前記トイレ室内の臭気レベルが、前記第１設定臭気レベルより高いレベルの第２設定臭気レベルよりも高いか否かを判定する第２臭気レベル判定部によって、前記第２設定臭気レベルよりも高いとの判定をした場合に、その判定に基づいて、換気扇にファンが所定の回転数で回転するように設定された段階１で前記消臭器と共に作動させるように作動開始信号を送信し、更に、前記トイレ室内の臭気レベルが、前記第２設定臭気レベルより高いレベルの第３設定臭気レベルよりも高い場合に、換気扇にファンが前記段階１よりも多い回転数で回転するように設定された段階２で前記消臭器と共に作動させるように構成されていることを特徴とするトイレ室の消臭システム。
【請求項２】
前記制御装置は、前記換気扇に作動開始信号を送信した後における前記トイレ室内の臭気レベルが前記第２設定臭気レベルよりも高い状態を維持しているか否かを判定する高臭気レベル維持判定部によって、前記第２設定臭気レベルよりも高い状態を維持していないとの判定をした場合に、その判定に基づいて、換気扇に作動停止信号を送信することを特徴とする請求項１記載のトイレ室の消臭システム。
【請求項３】
トイレ室内の消臭を行う消臭器と、前記トイレ室内の換気を行う換気扇と、それらの消臭器と換気扇とに制御信号を送信可能な制御装置とを用いてトイレ室内の消臭を行うトイレ室の消臭方法であって、
前記制御装置に、前記トイレ室内の臭気レベルが第１設定臭気レベルよりも高いか否かを判定させ、前記臭気レベルが第１設定臭気レベルよりも高いとの判定をした場合に、その判定に基づいて、消臭器に作動開始信号を送信させるとともに、前記消臭器に作動開始信号を送信した後における前記トイレ室内の臭気レベルが、第１設定臭気レベルより高いレベルの第２設定臭気レベルよりも高いか否かを判定させ、前記第２設定臭気レベルよりも高いとの判定をした場合に、その判定に基づいて、換気扇にファンが所定の回転数で回転するように設定された段階１で前記消臭器と共に作動させるように作動開始信号を送信させ、更に、前記トイレ室内の臭気レベルが、前記第２設定臭気レベルより高いレベルの第３設定臭気レベルよりも高い場合に、換気扇にファンが前記段階１よりも多い回転数で回転するように設定された段階２で前記消臭器と共に作動させることを特徴とするトイレ室の消臭方法。
【発明の詳細な説明】
【技術分野】
【０００１】
本発明は、トイレ室の消臭システム及び消臭方法に関するものである。
【背景技術】
【０００２】
従来から、トイレ室を消臭するものとして、例えばトイレ室内に設置した臭いセンサによりトイレ室の臭気を検出して検出信号を、送受信手段を通じて情報制御機に格納しトイレ機器環境の情報とし、脱臭手段（消臭器）や換気手段（換気扇）を適切に動作させるトイレ装置が提案されている（特許文献１参照）。
【特許文献１】特開２００２−８９９０８号公報
【発明の開示】
【発明が解決しようとする課題】
【０００３】
しかしながら、例えばトイレ室が冷房又は暖房によって温度調整されている場合に、その温度調整された空気が、換気扇の作動によって外に出てしまう。その一方、消臭器のみを作動させたのでは、臭気レベルが高いような場合には、臭気が感じられない程度まで消臭するのに時間を要してしまい、トイレ室を快適に使用し難いという問題点がある。
【０００４】
本発明は、トイレ室内の臭気レベルに応じて消臭器と換気扇とを適宜作動させてトイレ室を快適に使用できるトイレ室の消臭システム及び消臭方法の提供を目的とする。
【課題を解決するための手段】
【０００５】
前記課題を解決するために、本発明の請求項１は、トイレ室内の消臭を行う消臭器と、前記トイレ室内の換気を行う換気扇と、それらの消臭器と換気扇とに制御信号を送信可能な制御装置とを備えたトイレ室の消臭システムであって、前記制御装置は、前記トイレ室内の臭気レベルが第１設定臭気レベルよりも高いか否かを判定する第１臭気レベル判定部によって、前記臭気レベルが第１設定臭気レベルよりも高いとの判定をした場合に、その判定に基づいて、消臭器に作動開始信号を送信するとともに、前記消臭器に作動開始信号を送信した後における前記トイレ室内の臭気レベルが、前記第１設定臭気レベルより高いレベルの第２設定臭気レベルよりも高いか否かを判定する第２臭気レベル判定部によって、前記第２設定臭気レベルよりも高いとの判定をした場合に、その判定に基づいて、換気扇にファンが所定の回転数で回転するように設定された段階１で前記消臭器と共に作動させるように作動開始信号を送信し、更に、前記トイレ室内の臭気レベルが、前記第２設定臭気レベルより高いレベルの第３設定臭気レベルよりも高い場合に、換気扇にファンが前記段階１よりも多い回転数で回転するように設定された段階２で前記消臭器と共に作動させるように構成されていることを特徴とするトイレ室の消臭システムを提供する。
【０００６】
請求項２のように、前記制御装置は、前記換気扇に作動開始信号を送信した後における前記トイレ室内の臭気レベルが前記第２設定臭気レベルよりも高い状態を維持しているか否かを判定する高臭気レベル維持判定部によって、前記第２設定臭気レベルよりも高い状態を維持していないとの判定をした場合に、その判定に基づいて、換気扇に作動停止信号を送信することが好ましい。
【０００７】
本発明の請求項３は、前記課題を解決するために、トイレ室内の消臭を行う消臭器と、前記トイレ室内の換気を行う換気扇と、それらの消臭器と換気扇とに制御信号を送信可能な制御装置とを用いてトイレ室内の消臭を行うトイレ室の消臭方法であって、前記制御装置に、前記トイレ室内の臭気レベルが第１設定臭気レベルよりも高いか否かを判定させ、前記臭気レベルが第１設定臭気レベルよりも高いとの判定をした場合に、その判定に基づいて、消臭器に作動開始信号を送信させるとともに、前記消臭器に作動開始信号を送信した後における前記トイレ室内の臭気レベルが、第１設定臭気レベルより高いレベルの第２設定臭気レベルよりも高いか否かを判定させ、前記第２設定臭気レベルよりも高いとの判定をした場合に、その判定に基づいて、換気扇にファンが所定の回転数で回転するように設定された段階１で前記消臭器と共に作動させるように作動開始信号を送信させ、更に、前記トイレ室内の臭気レベルが、前記第２設定臭気レベルより高いレベルの第３設定臭気レベルよりも高い場合に、換気扇にファンが前記段階１よりも多い回転数で回転するように設定された段階２で前記消臭器と共に作動させることを特徴とするトイレ室の消臭方法を提供する。
【発明の効果】
【０００８】
請求項１及び請求項３によれば、例えばトイレ室内の臭気が感じられる程度の臭気レベルを予め第１設定臭気レベルに設定しておき、トイレ室内の臭気がその第１設定臭気レベルよりも高い場合に、制御装置は、まず、消臭器に作動開始信号を送信するため、換気扇を作動させずに済み、経済的なものにできる。又、例えばトイレ室が冷房又は暖房によって温度調整されている場合に、その温度調整された空気が、換気扇の作動によって外に出てしまうようなことを防止できる。
【０００９】
一方、例えば消臭器を作動した後に、トイレ室内の臭気レベルが更に高くなって第１設定臭気レベルより高いレベルの第２設定臭気レベルよりも高くなった場合には、制御装置は、換気扇に作動開始信号を送信することにより、消臭器の作動に加えて換気扇を作動させる。従って、トイレ室内の臭気レベルを短時間で低くできる。
【００１０】
請求項２によれば、制御装置は、換気扇に作動開始信号を送信した後におけるトイレ室内の臭気レベルが第２設定臭気レベルよりも高い状態を維持していないとの判定をした場合、換気扇に作動停止信号を送信することにより、換気扇の作動を停止させる。従って、例えばトイレ室内の臭気レベルが、第１設定臭気レベルよりも高いが第２設定臭気レベル以下のような低臭気レベルの場合には、消臭器の作動だけで消臭を行うことができ、経済的なものにできるとともに、トイレ室の冷房又は暖房によって温度調整された空気を、換気扇の作動によって外に出てしまうようなことを極力抑えることができる。
【発明を実施するための最良の形態】
【００１１】
以下、本発明を実施するための最良の形態について、図面を参照しながら詳細に説明する。
【００１２】
図１は、本発明の一実施の形態のトイレ室の消臭システムを施したトイレ室の概略図、図２は、同システムに用いられる消臭器を説明するためのブロック図、図３は、同システムに用いられる制御装置を説明するためのブロック図、図４は、同システムに用いられる換気扇を説明するためのブロック図である。
【００１３】
本発明のトイレ室の消臭システムは、図１に示すように、トイレ室９内の消臭を行う消臭器１と、トイレ室９内の換気を行う換気扇２と、それらの消臭器１と換気扇２とに制御信号を有線又は無線によって（この実施形態では無線）送信可能な制御装置３とを備えている。
【００１４】
消臭器１は、この実施形態では、図示しないフィルタを備えた、いわゆるフィルタ式のもので、消臭器１の通電による作動に伴い臭い分子をフィルタに吸着して分解するものが用いられている。尚、本システムに用いられる消臭器１の種類等は、特に限定されず、適宜変更できる。例えば触媒を用いるもの、あるいは、オゾンを用いるもの等、従来から消臭器として使用されているものを用いることができ、適宜変更できる。
【００１５】
又、消臭器１は、図２に示すように、消臭器作動開始部１１と、消臭器作動停止部１２と、受信部１３とを備えている。
【００１６】
受信部１３は、例えば後述する制御信号である消臭器の作動開始信号、消臭器の作動停止信号を制御装置３から受信する。
【００１７】
消臭器作動開始部１１は、制御装置３から消臭器の作動開始信号を受信した場合に、その消臭器の作動開始信号に基づいて消臭器１の作動を開始させる。
【００１８】
消臭器作動停止部１２は、制御装置３から消臭器の作動停止信号を受信した場合に、その消臭器の作動停止信号に基づいて消臭器１の作動を停止させる。
【００１９】
又、消臭器１は、図示しないが、記録装置であるメモリ、制御装置であるＣＰＵ、制御装置３と通信するため通信インターフェース等を備えている。
【００２０】
そして、上記ＣＰＵは、図２の消臭器作動開始部１１、消臭器作動停止部１２、受信部１３として機能する。
【００２１】
次に、制御装置３について説明する。この実施形態の制御装置３は、図３に示すように第１臭気レベル判定部３１と、第２臭気レベル判定部３２と、高臭気レベル維持判定部３３と、低臭気レベル維持判定部３４と、送信部３５とを備えている。
【００２２】
第１臭気レベル判定部３１は、トイレ室内の臭気が、第１設定臭気レベルとしての設定臭気レベルＢよりも高いか否かを、トイレ室内に設置された臭いセンサ４（図１に図示）による検出データに基づいて判定する。
【００２３】
臭いセンサ４は、この実施形態では、半導体ガスセンサが用いられている。この半導体ガスセンサは、例えば臭気ガスの濃度に対応して電気抵抗が変化する構造を有し、その電気抵抗の変化を電圧に変換することによって、ガス濃度を電気的に検出するように構成されたものである。
【００２４】
尚、臭いセンサ４は、半導体ガスセンサのものに限らず、例えば水晶振動子式ガスセンサ、即ち、水晶振動子の表面に貼り付けた臭い感応膜に、臭い分子が吸着するとその膜の質量が増加し、それに比例して低下する水晶振動子の共振周波数の低下量を測定することによって臭いの濃度を測るものであっても良い。
【００２５】
そして、この臭いセンサ４は、この実施形態では、図１に示すように、トイレ室９内の壁面に、トイレ使用者がトイレ室９に設けられた便器９１に着座した際の顔（鼻）とほぼ同じ高さ位置に設置されている。ただし、臭いセンサ４の設置位置は、特に限定されず、例えば便器の一部に設置する等、適宜変更できる。
【００２６】
設定臭気レベルＢは、通常の人が臭いを弱く感じる程度の臭気レベルとして予め設定されたもので、そのレベルに対応した上記臭いセンサ４による値が該当する。
【００２７】
そして、トイレ室内の臭気レベルが設定臭気レベルＢよりも高い場合（臭気レベル＞設定臭気レベルＢ、以下、低臭気レベル維持判定部３４において同じ）、第１臭気レベル判定部３１は、トイレ室内の臭気レベルが設定臭気レベルＢよりも高いとの判定をし、その判定に基づいて、消臭器の作動開始信号を生成する。
【００２８】
一方、トイレ室内の臭気レベルが設定臭気レベルＢよりも高くない場合（臭気レベル≦設定臭気レベルＢ、以下、低臭気レベル維持判定部３４において同じ）、第１臭気レベル判定部３１は、トイレ室内の臭気レベルが設定臭気レベルＢよりも高くないとの判定をする。
【００２９】
第２臭気レベル判定部３２は、上記消臭器の作動開始信号を送信した後におけるトイレ室９内の臭気レベルが、第２設定臭気レベルとしての設定臭気レベルＡよりも高いか否かを、上記臭いセンサ４による検出データに基づいて判定する。
【００３０】
この設定臭気レベルＡは、上記設定臭気レベルＢよりも臭気のレベルを高くして予め設定されたもので、そのレベルに対応した上記臭いセンサ４による値が該当する。この実施形態では、通常の人が臭いを、上記設定臭気レベルＢの場合よりも強く感じる程度の臭いのレベルである。
【００３１】
そして、トイレ室内の臭気レベルが設定臭気レベルＡよりも高くない場合（臭気レベル≦設定臭気レベルＡ、以下、高臭気レベル維持判定部３３において同じ）には、第２臭気レベル判定部３２は、臭気レベルが設定臭気レベルＡよりも高くないとの判定を行う。
【００３２】
一方、トイレ室内の臭気レベルが設定臭気レベルＡよりも高い場合（臭気レベル＞設定臭気レベルＡ、以下、高臭気レベル維持判定部３３において同じ）、第２臭気レベル判定部３２は、臭気レベルが設定臭気レベルＡよりも高いとの判定を行う。
【００３３】
又、上記設定臭気レベルＡよりも高いとの判定を行った場合、制御装置３は、その判定に基づいて、換気扇の作動開始信号を生成する。
【００３４】
高臭気レベル維持判定部３３は、上記換気扇の作動開始信号を送信した後におけるトイレ室９内の臭気レベルが未だ設定臭気レベルＡよりも高い高臭気レベルの状態を維持しているか否かを判定するもので、具体的には、トイレ室内の臭気レベルが設定臭気レベルＡよりも高いか否かを、上記臭いセンサ４による検出データに基づいて判定する。
【００３５】
そして、トイレ室内の臭気レベルが未だ設定臭気レベルＡよりも高い場合、高臭気レベル維持判定部３３は、臭気レベルが未だ設定臭気レベルＡよりも高い状態を維持しているとの維持判定を行う。一方、トイレ室内の臭気レベルが設定臭気レベルＡよりも高くない場合、臭気レベルが設定臭気レベルＡよりも高い状態を維持していないとの判定を行う。
【００３６】
又、高臭気レベル維持判定部３３が上記維持していないとの判定を行った場合、制御装置３は、その判定に基づいて、換気扇の作動停止信号を生成する。
【００３７】
低臭気レベル維持判定部３４は、第２臭気レベル判定部３２によって臭気レベルが設定臭気レベルＡよりも高くないとの判定を行った後、又は、高臭気レベル維持判定部３３によって維持していないとの判定を行った後におけるトイレ室内の臭気レベルが設定臭気レベルＢよりも高い状態を維持しているか否かを、上記臭いセンサ４による検出データに基づいて判定する。
【００３８】
そして、トイレ室内の臭気レベルが設定臭気レベルＢよりも高い場合、低臭気レベル維持判定部３４は、臭気レベルが設定臭気レベルＢよりも高い状態を維持しているとの維持判定を行う。一方、トイレ室内の臭気レベルが設定臭気レベルＢよりも高くない場合、上記状態を維持していないとの判定を行う。
【００３９】
又、低臭気レベル維持判定部３４が上記維持していないとの判定を行った場合には、制御装置３は、その判定に基づいて、消臭器の作動停止信号を生成する。
【００４０】
送信部３５は、例えば制御信号である消臭器の作動開始信号や消臭器の作動停止信号を消臭器１に送信する。又、送信部３５は、例えば制御信号である換気扇の作動開始信号や換気扇の作動停止信号を換気扇２に送信する。
【００４１】
又、制御装置３は、図示しないが、記録装置であるメモリ、制御装置であるＣＰＵ、表示装置である表示部、消臭器１及び換気扇２と通信するため通信インターフェース等を備えている。
【００４２】
そして、上記ＣＰＵは、図３の第１臭気レベル判定部３１、第２臭気レベル判定部３２、高臭気レベル維持判定部３３、低臭気レベル維持判定部３４、送信部３５として機能する。
【００４３】
次に、換気扇２について説明する。この実施形態の換気扇２は、図１に示すように回転可能に設置されたファン２０を備え、トイレ室９の側壁の上部に配置されている。又、換気扇２は、図４に示すように換気扇作動開始部２１と、換気扇作動停止部２２と、受信部２３とを備えている。
【００４４】
換気扇作動開始部２１は、上記換気扇の作動開始信号を制御装置３から受信した場合に、その作動開始信号に基づいて、換気扇２を作動させる、即ち、ファン２０を回転させる。
【００４５】
換気扇作動停止部２２は、上記換気扇の作動停止信号を制御装置３から受信した場合に、その作動停止信号に基づいて、換気扇２の作動を停止させる、即ち、ファン２０の回転を停止させる。
【００４６】
受信部２３は、例えば制御信号である換気扇の作動開始信号、換気扇の作動停止信号を制御装置３から受信する。
【００４７】
又、換気扇２は、図示しないが、記録装置であるメモリ、制御装置であるＣＰＵ、制御装置３と通信するため通信インターフェース等を備えている。
【００４８】
そして、上記ＣＰＵは、図４の換気扇作動開始部２１、換気扇作動停止部２２、受信部２３として機能する。
【００４９】
次に、本システムの動作について、図５、図６に基づいて説明する。尚、説明の都合上、トイレ室９内における臭いがほとんどない状態から説明する。
【００５０】
まず、制御装置３は、トイレ室９内の臭気レベルが、設定臭気レベルＢよりも高いか否かを、臭いセンサ４によって検出された検出データに基づいて判定する（図５、ステップＳ１）。
【００５１】
このステップＳ１において、設定臭気レベルＢよりも高くないとの判定をした場合、制御装置３は、制御を戻す。
【００５２】
一方、ステップＳ１において、設定臭気レベルＢよりも高いとの判定をした場合、制御装置３は、消臭器の作動開始信号を生成して消臭器１に送信する。
【００５３】
例えば図６に示すように、制御装置３は、時刻ｔ１で、臭気レベルが設定臭気レベルＢよりも高いとの判定をし、消臭器の作動開始信号を生成して消臭器１に送信する。
【００５４】
作動開始信号を受信した消臭器１は、受信したその作動開始信号に基づいて、作動を開始する（図５、ステップＳ２）。
【００５５】
そして、消臭器１の作動開始信号を送信した後のトイレ室９の臭気レベルが設定臭気レベルＡよりも高いか否かを、検出センサ４によって検出された検出データに基づいて判定する（図５、ステップＳ３）。
【００５６】
このステップＳ３において、制御装置３が、設定臭気レベルＡよりも高くないとの判定をした場合、後述のステップＳ７に移る。
【００５７】
一方、ステップＳ３において、臭気レベルが設定臭気レベルＡよりも高いとの判定をした場合、制御装置３は、換気扇の作動開始信号を生成して換気扇２に送信する。
【００５８】
例えば図６に示すように、時刻ｔ２で、制御装置３は、臭気レベルが設定臭気レベルＡよりも高くなったとの判定をし換気扇の作動開始信号を生成して換気扇２に送信する。尚、このステップＳ３が、図３の第２臭気レベル判定部３２に対応する。
【００５９】
作動開始信号を受信した換気扇２は、ファン２０の作動を開始する（図５、ステップＳ４）。
【００６０】
次に、制御装置３は、換気扇２に作動開始信号を送信した後の臭気レベルが未だ設定臭気レベルＡよりも高い状態を維持しているか否かを、検出センサ４によって検出された検出データに基づいて判定する（図５、ステップＳ５）。
【００６１】
このステップＳ５において、臭気レベルが設定臭気レベルＡよりも高い状態を維持しているとの維持判定をした場合、制御装置３は、制御を戻し、臭気レベルが設定臭気レベルＡ以下になるのを待つ。
【００６２】
一方、ステップＳ５において、臭気レベルが未だ設定臭気レベルＡよりも高い状態を維持していないとの判定をした場合、制御装置３は、その判定に基づいて、換気扇の作動停止信号を生成して換気扇２に送信する。
【００６３】
例えば図６に示すように、時刻ｔ３で、制御装置３は、臭気レベルが設定臭気レベルＡよりも高い状態を維持していないとの判定をし、換気扇の作動停止信号を生成して換気扇２に送信する。尚、このステップＳ５が、図３の高臭気レベル維持判定部３３に対応する。
【００６４】
換気扇の作動停止信号を受信した換気扇２は作動を停止する（図５、ステップＳ６）。
【００６５】
そして、制御装置３は、トイレ室９内の臭気レベルが、設定臭気レベルＢよりも高い状態を維持しているか否かを、臭いセンサ４によって検出された検出データに基づいて判定する（図５、ステップＳ７）。
【００６６】
このステップＳ７において、トイレ室９内の臭気レベルが、設定臭気レベルＢよりも高い状態を維持しているとの判定をした場合、制御装置３は、制御を上記ステップＳ３に戻す。
【００６７】
一方、ステップＳ７において、トイレ室９内の臭気レベルが、設定臭気レベルＢよりも高い状態を維持していないとの判定をした場合、制御装置３は、その判定に基づいて、消臭器の作動停止信号を生成して消臭器１に送信する。
【００６８】
例えば図６に示すように、時刻ｔ４で、制御装置３は、トイレ室９内の臭気レベルが設定臭気レベルＢよりも高い状態を維持していないとの判定をし、消臭器の作動停止信号を生成して消臭器１に送信する。尚、このステップＳ７が、図３の低臭気レベル維持判定部３４に対応する。
【００６９】
消臭器の作動開始信号を受信した消臭器１は、その作動停止信号に基づいて作動を停止する（図５、ステップＳ８）。
【００７０】
尚、上記実施形態では、制御装置３を、消臭器１や換気扇２と別途に設けたものとしているが、例えば消臭器１又は換気扇２に組み込んで付設したものとしても良く、適宜変更できる。
【００７１】
又、上記実施形態では、設定臭気レベルＢを、通常の人が臭いを弱く感じる程度の臭気レベルに、設定臭気レベルＡを、通常の人が臭いを、設定臭気レベルＢの場合よりも強く感じる程度の臭気レベルに、夫々設定しているが、この形態のものに限らず、設定臭気レベルＡ及び設定臭気レベルＢを任意に設定できる。
【００７２】
また、上記実施形態では、臭気レベルを、設定臭気レベルＡと設定臭気レベルＢとの２段階に設定しているが、３段階以上に設定するようにしても良い。
【００７３】
例えば、臭気レベルの高い順に、設定臭気レベルＡ（第３設定臭気レベル）、設定臭気レベルＢ（第２設定臭気レベル）、設定臭気レベルＣ（第１設定臭気レベル）とするとともに、換気扇を、ファンの１分間当たりの回転数に応じて、段階１と、その段階１よりも回転数の多い段階２との切り替え可能な２段階に設定する。
【００７４】
そして、設定臭気レベルＣより高く設定臭気レベルＢ以下の場合は、消臭器を作動させ、設定臭気レベルＢより高く設定臭気レベルＡ以下の場合は、消臭器を作動させるとともに、換気扇を段階１で作動させる。また、設定臭気レベルＡより高い場合は、消臭器を作動させるとともに、換気扇を段階２で作動させる。
【００７５】
また、上記実施形態では、消臭器の作動開始と作動停止、換気扇の作動開始と作動停止を、夫々、同じ臭気レベルで行っているが、別個独立に設定した臭気レベルで行ってもよい。
【図面の簡単な説明】
【００７６】
【図１】本発明の一実施の形態の消臭システムを施したトイレ室の概略図である。
【図２】同システムに用いられる消臭器を説明するためのブロック図である。
【図３】同システムに用いられる制御装置を説明するためのブロック図である。
【図４】同システムに用いられる換気扇を説明するためのブロック図である。
【図５】本発明のシステムの動作を説明するためのフローチャートである。
【図６】臭気レベルと、消臭器と、換気扇との関係を示す説明図である。
【符号の説明】
【００７７】
１    消臭器
２    換気扇
３    制御装置
９    トイレ室
【図１】
0005032296.tif 000002
【図２】
0005032296.tif 000003
【図３】
0005032296.tif 000004
【図４】
0005032296.tif 000005
【図５】
0005032296.tif 000006
【図６】
0005032296.tif 000007